(57)【要約】  本発明の実施形態は光伝送ネットワークにおいてクライアント信号を送信する方法と、光伝送ネットワークデバイスとを開示する。方法は光ペイロードユニット信号のペイロードをｍ個の第１粒度のトリビュタリスロットへと分割する段階と、前記ｍ個の第１粒度のトリビュタリスロットのうちの１つをｎ個の第２粒度のトリビュタリスロットへと分割する段階であって、前記第１粒度のトリビュタリスロットのレートは前記第２粒度のトリビュタリスロットのレートのｎ倍であり、ｍは正の整数であり、ｎは１よりも大きな正の整数である、段階と、前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成する段階と、前記光データユニット信号を送信する段階と、を備える。本発明の実施形態によれば、帯域幅伝送効率が改善される。
2019519999.tif 000002
【特許請求の範囲】
【請求項１】
光伝送ネットワーク内でクライアント信号を送信する方法であって、
前記方法は、
光ペイロードユニット信号のペイロードをｍ個の第１粒度のトリビュタリスロットへと分割する段階と、
前記ｍ個の第１粒度のトリビュタリスロットのうちの１つをｎ個の第２粒度のトリビュタリスロットへと分割する段階であって、前記第１粒度のトリビュタリスロットのレートは前記第２粒度のトリビュタリスロットのレートのｎ倍であり、ｍは正の整数であり、ｎは１よりも大きな正の整数である、段階と、
前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成する段階と、
前記光データユニット信号を送信する段階と、
を備える、方法。
【請求項２】
ｎの値は前記第１のクライアント信号のレート、伝送距離、および、変調フォーマットの少なくとも１つに基づいて決定される、請求項１に記載の方法。
【請求項３】
ｍは１よりも大きい整数であり、
前記方法はさらに、
前記ｍ個の第１粒度のトリビュタリスロットのうちの他の第１粒度のトリビュタリスロットをｘ個の第３粒度のトリビュタリスロットへと分割する段階を備え、
前記第１粒度のトリビュタリスロットの前記レートは、前記第３粒度のトリビュタリスロットのレートのｘ倍であり、
ｘは１よりも大きな正の整数である、請求項１に記載の方法。
【請求項４】
前記光データユニット信号はさらに、前記第３粒度のトリビュタリスロットのオーバヘッドを有し、
前記ｍ個の第１粒度のトリビュタリスロットのうちの他の第１粒度のトリビュタリスロットをｘ個の第３粒度のトリビュタリスロットへと分割する前記段階は、前記ｍ個の第１粒度のトリビュタリスロットのうちの前記他の第１粒度のトリビュタリスロットを、受信された第２のクライアント信号のレート、伝送距離、および、変調フォーマットの少なくとも１つに基づいて前記ｘ個の第３粒度のトリビュタリスロットへと分割する段階を有し、
前記方法はさらに、
前記ｘ個の第３粒度のトリビュタリスロットのうちの１または複数が位置するペイロードに前記第２のクライアント信号をマッピングする段階を備える、請求項３に記載の方法。
【請求項５】
前記方法はさらに、
前記ｘ個の第３粒度のトリビュタリスロットのうちの１つを、第３のサービス信号のレート、伝送距離、および、変調フォーマットの少なくとも１つに基づいてｚ個の第４粒度のトリビュタリスロットへと分割する段階と、
前記ｚ個の第４粒度のトリビュタリスロットのうちの１または複数が位置するペイロードに前記第３のサービス信号をマッピングする段階と、
を備え、
ｚは１よりも大きな正の整数であり、
前記光ペイロードユニット信号はさらに、前記第４粒度のトリビュタリスロットのオーバヘッドを有する、請求項３に記載の方法。
【請求項６】
前記第１粒度のトリビュタリスロットの前記オーバヘッドは、前記光ペイロードユニット信号の光ペイロードユニット信号のオーバヘッドに位置し、
前記第２粒度のトリビュタリスロットの前記オーバヘッドは、前記光ペイロードユニット信号のペイロードに位置する、請求項１から５の何れか一項に記載の方法。
【請求項７】
前記第１粒度のトリビュタリスロットの前記オーバヘッドは、前記光ペイロードユニット信号のオーバヘッドのＭＳＩフィールドに位置し、
前記第１粒度のトリビュタリスロットの前記オーバヘッドは、各第１粒度のトリビュタリスロットを識別するのに使用される、請求項１に記載の方法。
【請求項８】
前記第１粒度のトリビュタリスロットの前記オーバヘッドはさらに、前記第１粒度のトリビュタリスロットが他の粒度のトリビュタリスロットへと分割されたか否かを示すのに使用される情報を有する、請求項７に記載の方法。
【請求項９】
前記第１粒度のトリビュタリスロットが前記他の粒度の前記トリビュタリスロットへと分割されたことを前記第１粒度のトリビュタリスロットの前記オーバヘッドが示す場合に、
前記第１粒度のトリビュタリスロットの前記オーバヘッドはさらに、前記第１粒度のトリビュタリスロットから分割された前記他の粒度の前記トリビュタリスロットの数を示す情報を有する、請求項８に記載の方法。
【請求項１０】
前記方法はさらに、
前記ｍ個の第１粒度のトリビュタリスロットにおける他の第１粒度のトリビュタリスロットであって、前記ｎ個の第２粒度のトリビュタリスロットへと分割される前記第１粒度のトリビュタリスロットとは異なる他の第１粒度のトリビュタリスロットのうちの１または複数に第５のクライアント信号をマッピングする段階を備える、請求項１に記載の方法。
【請求項１１】
光ペイロードユニット信号のペイロードエリアをｍ個の第１粒度のトリビュタリスロットへと分割する前記段階は、
前記光ペイロードユニット信号の前記ペイロードエリアにおける列１から列３８０８の全列に周期的な態様で順に１からｍまで付番する段階を有し、
同じ番号を有する列は同じ第１粒度のトリビュタリスロットに属する、請求項１から１０の何れか一項に記載の方法。
【請求項１２】
光ペイロードユニット信号のペイロードエリアをｍ個の第１粒度のトリビュタリスロットへと分割する前記段階は、
前記光ペイロードユニット信号の前記ペイロードエリアにおける列１から列３８０８内のＭバイト毎に周期的な態様で順に１からｍまで付番する段階を有し、
同じ番号を有するバイトは同じ第１粒度のトリビュタリスロットに属し、
Ｍは正の整数である、請求項１から１０の何れか一項に記載の方法。
【請求項１３】
光伝送ネットワークデバイスであって、
光ペイロードユニット信号のペイロードをｍ個の第１粒度のトリビュタリスロットへと分割し、前記ｍ個の第１粒度のトリビュタリスロットのうちの１つをｎ個の第２粒度のトリビュタリスロットへと分割するよう構成されたトリビュタリスロット分割部であって、前記第１粒度のトリビュタリスロットのレートは前記第２粒度のトリビュタリスロットのレートのｎ倍であり、ｍは正の整数であり、ｎは１よりも大きな正の整数である、トリビュタリスロット分割部と、
前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成するよう構成された信号マッピング部と、
前記光データユニット信号を送信するよう構成された送信部と、
を備える光伝送ネットワークデバイス。
【請求項１４】
前記トリビュタリスロット分割部はさらに、受信される第２のクライアント信号のレート、伝送距離、および、変調フォーマットの少なくとも１つに基づいて、前記ｍ個の第１粒度のトリビュタリスロットのうちの他の第１粒度のトリビュタリスロットをｘ個の第３粒度のトリビュタリスロットへと分割するよう構成され、
前記第１粒度のトリビュタリスロットのレートは前記第３粒度のトリビュタリスロットのレートのｘ倍であり、ｘは１よりも大きな正の整数である、請求項１３に記載のデバイス。
【請求項１５】
前記信号マッピング部はさらに、前記第２のクライアント信号を、前記ｘ個の第３粒度のトリビュタリスロットのうちの１または複数が位置するペイロードにマッピングするよう構成される、請求項１４に記載のデバイス。
【請求項１６】
前記トリビュタリスロット分割部はさらに、第３のサービス信号のレート、伝送距離、および、変調フォーマットの少なくとも１つに基づいて、前記ｘ個の第３粒度のトリビュタリスロットのうちの１つをｚ個の第４粒度のトリビュタリスロットへと分割するよう構成され、
前記信号マッピング部はさらに、前記ｚ個の第４粒度のトリビュタリスロットのうちの１または複数が位置するペイロードに前記第３のサービス信号をマッピングするよう構成され、
ｚは１よりも大きな正の整数であり、前記光ペイロードユニット信号はさらに、前記第４粒度のトリビュタリスロットのオーバヘッドを有する、請求項１４に記載のデバイス。
【請求項１７】
光伝送ネットワークデバイスであって、
コンピュータ実行可能なプログラムコードを格納するよう構成されたメモリと、
前記メモリに結合されたプロセッサと、
を備え、
前記プログラムコードは命令を有し、前記プロセッサにより実行された場合に、前記命令は前記光伝送ネットワークデバイスが、
光ペイロードユニット信号のペイロードをｍ個の第１粒度のトリビュタリスロットへと分割することと、
前記ｍ個の第１粒度のトリビュタリスロットのうちの１つをｎ個の第２粒度のトリビュタリスロットへと分割することであって、前記第１粒度のトリビュタリスロットのレートは前記第２粒度のトリビュタリスロットのレートのｎ倍であり、ｍは正の整数であり、ｎは１よりも大きな正の整数である、分割することと、
第１のクライアント信号を、前記ｎ個の第２粒度のトリビュタリスロットのうちの１または複数が位置するペイロードにマッピングし、前記光ペイロードユニット信号のための前記第１粒度のトリビュタリスロットのオーバヘッドと前記第２粒度のトリビュタリスロットのオーバヘッドとを追加して、光データユニット信号を生成することと、
前記光データユニット信号を送信することと、
のオペレーションを行うことを可能とする、光伝送ネットワークデバイス。
【発明の詳細な説明】
【技術分野】
【０００１】
本発明は光通信技術の分野に関し、特には光伝送ネットワーク内でのクライアント信号の送信方法と、伝送デバイスとに関する。
【背景技術】
【０００２】
ＯＴＮ（Ｏｐｔｉｃａｌ  Ｔｒａｎｓｐｏｒｔ  Ｎｅｔｗｏｒｋ、光伝送ネットワーク）は伝送ネットワークの中心となる技術である。ＯＴＮは高いＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ、運用、管理および保守）の能力と、強力なＴＣＭ（Ｔａｎｄｅｍ  Ｃｏｎｎｅｃｔｉｏｎ  Ｍｏｎｉｔｏｒｉｎｇ、タンデムコネクションモニタリング）の能力と、帯域外のＦＥＣ（Ｆｏｒｗａｒｄ  Ｅｒｒｏｒ  Ｃｏｒｒｅｃｔｉｏｎ、前方誤り訂正）能力とを有し、柔軟なスケジューリングと、大容量のサービスの管理とを行うことができる。
【０００３】
固定の回線レートを有する４つのＯＴＵ（Ｏｐｔｉｃａｌ  ｃｈａｎｎｅｌ  Ｔｒａｎｓｐｏｒｔ  Ｕｎｉｔ、光チャネル伝送ユニット）：ＯＴＵ１，ＯＴＵ２、ＯＴＵ３およびＯＴＵ４がＯＴＮ標準システムで定義される。４つのＯＴＵの回線レートのレベルは、それぞれ２．５Ｇ、１０Ｇ、４０Ｇ、および１００Ｇである。単位はビット／秒、すなわち秒ごとのビットである。４つのＯＴＵはそれぞれ、ＯＴＵのレートレベルと同じレートレベルを有する４つのＯＤＵ（Ｏｐｔｉｃａｌ  ｃｈａｎｎｅｌ  Ｄａｔａ  Ｕｎｉｔ、光チャネルデータユニット）：ＯＤＵ１、ＯＤＵ２、ＯＤＵ３およびＯＤＵ４に対応する。信号の多重化送信の間、或るレートレベルのＯＤＵは、データ伝送レートを増加させるべく当該ＯＤＵより高い階数を有する任意のＯＤＵに多重化されてよい。ＯＤＵ１がＯＤＵ２に多重化されることが例として使用される。ＯＤＵ２のペイロードエリアは４つのトリビュタリスロット（ＴＳ、Ｔｒｉｂｕｔａｒｙ  Ｓｌｏｔ）へと分割されてよく、各トリビュタリスロットはＯＤＵ１データの要素を伝達するのに使用される。
【０００４】
５Ｇモバイルサービス（5th generation mobile networks）、４Ｋ（４０００ピクセル、４０００ピクセル）および８Ｋ（８０００ピクセル、８０００ピクセル）等のビデオサービス、ＶＲ（Ｖｉｒｔｕａｌ  Ｒｅａｌｉｔｙ、仮想現実）などの新たな多数のサービスの出現により、これらのサービスは帯域幅に関して様々なトラフィックの要望を有し、比較的高いリアルタイムの要件を有する。既存の固定のトリビュタリスロットはこの要件を効果的に満たすことができない。さらに、ＳＤＮ（Ｓｏｆｔｗａｒｅ−Ｄｅｆｉｎｅｄ  Ｎｅｔｗｏｒｋ、ソフトウェアデファインドネットワーク）の幅広い浸透により顧客によるカスタマイズの要望と、伝送ネットワークの制御に対する直接的なインターベンションの要望は絶え間なく増加している。伝送ネットワークはよりインテリジェントに駆動される必要がある。これは単に制御プレーンのプログラマビリティに制限されない。データプレーンはまたプログラマビリティを付与される必要がある。既存の固定トリビュタリスロットは、この能力を限定し、クライアントサービスのカスタマイズされた伝送要件を満たすことができない。
【発明の概要】
【０００５】
本発明の実施形態は、光伝送ネットワーク内でクライアント信号を送信する方法、および、光伝送ネットワークデバイスを提供し、従来技術においてＯＴＵにより使用される固定レートに起因する光ファイバの帯域幅の低い利用率の問題を解決する。
【０００６】
１つの態様によれば、光伝送ネットワーク内でクライアント信号を送信する方法であって、当該方法は、光ペイロードユニット信号のペイロードをｍ個の第１粒度のトリビュタリスロットへと分割する段階と、前記ｍ個の第１粒度のトリビュタリスロットのうちの１つをｎ個の第２粒度のトリビュタリスロットへと分割する段階であって、前記第１粒度のトリビュタリスロットのレートは前記第２粒度のトリビュタリスロットのレートのｎ倍であり、ｍは正の整数であり、ｎは１よりも大きな正の整数である、段階と、前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成する段階と、前記光データユニット信号を送信する段階と、を備える、方法が提供される。
【０００７】
上述の複数の段階によれば、トリビュタリスロットは、カスタマイズされたクライアントサービスの伝送要件を満たすための要件に基づいて、ＯＴＮデータプレーン上で柔軟に分割される。同じベアラのコンテナが混合方式で異なる複数のレートのサービスを伝達し、帯域幅伝送効率を向上させる。
【０００８】
第１の態様に関連し、第１の態様の第１の可能な実施例においては、ｎの値は第１のクライアント信号のレート、伝送距離および変調フォーマットのうちの少なくとも１つに基づいて決定される。
【０００９】
第１の態様に関連し、第１の態様の第２の可能な実施例においては、ｍは１よりも大きい整数であり、当該方法はさらに、前記ｍ個の第１粒度のトリビュタリスロットのうちの他の第１粒度のトリビュタリスロットをｘ個の第３粒度のトリビュタリスロットへと分割する段階を備え、前記第１粒度のトリビュタリスロットの前記レートは、前記第３粒度のトリビュタリスロットのレートのｘ倍であり、ｘは１よりも大きな正の整数である。
【００１０】
第１の態様の第２の可能な実施例に関連し、第１の態様の第３の可能な実施例においては、前記光データユニット信号はさらに、前記第３粒度のトリビュタリスロットのオーバヘッドを有し、前記ｍ個の第１粒度のトリビュタリスロットのうちの他の第１粒度のトリビュタリスロットをｘ個の第３粒度のトリビュタリスロットへと分割する前記段階は、前記ｍ個の第１粒度のトリビュタリスロットのうちの前記他の第１粒度のトリビュタリスロットを、受信された第２のクライアント信号のレート、伝送距離、および、変調フォーマットの少なくとも１つに基づいて前記ｘ個の第３粒度のトリビュタリスロットへと分割する段階を有し、当該方法はさらに、前記ｘ個の第３粒度のトリビュタリスロットのうちの１または複数が位置するペイロードに前記第２のクライアント信号をマッピングする段階を備える。
【００１１】
第１の態様の第２の可能な実施例に関連し、第１の態様の第４の可能な実施例においては、当該方法はさらに、前記ｘ個の第３粒度のトリビュタリスロットのうちの１つを、第３のサービス信号のレート、伝送距離、および、変調フォーマットの少なくとも１つに基づいてｚ個の第４粒度のトリビュタリスロットへと分割する段階と、前記ｚ個の第４粒度のトリビュタリスロットのうちの１または複数が位置するペイロードに前記第３のサービス信号をマッピングする段階と、を備え、ｚは１よりも大きな正の整数であり、前記光ペイロードユニット信号はさらに、前記第４粒度のトリビュタリスロットのオーバヘッドを有する。
【００１２】
第１の態様のうちのいずれか１つ、または第１から第４の可能な実施例に関連し、第１の態様の第５の可能な実施例においては、第１粒度のトリビュタリスロットのオーバヘッドは光ペイロードユニット信号の光ペイロードユニット信号オーバヘッドに位置し、第２粒度のトリビュタリスロットのオーバヘッドは光ペイロードユニット信号のペイロードに位置する。
【００１３】
第１の態様に関連し、第１の態様の第６の可能な実施例においては、前記第１粒度のトリビュタリスロットの前記オーバヘッドは、前記光ペイロードユニット信号のオーバヘッドのＭＳＩフィールドに位置し、前記第１粒度のトリビュタリスロットの前記オーバヘッドは、各第１粒度のトリビュタリスロットを識別するのに使用される。
【００１４】
第１の態様の第６の可能な実施例に関連し、第１の態様の第７の可能な実施例においては、第１粒度のトリビュタリスロットのオーバヘッドはさらに、第１粒度のトリビュタリスロットが他の粒度のトリビュタリスロットへと分割されたか否かを示すのに使用される情報を有する。
【００１５】
第１の態様に関連し、第１の態様の第８の可能な実施例においては、当該方法はさらに、前記ｍ個の第１粒度のトリビュタリスロットにおける他の第１粒度のトリビュタリスロットであって、前記ｎ個の第２粒度のトリビュタリスロットへと分割される前記第１粒度のトリビュタリスロットとは異なる他の第１粒度のトリビュタリスロットのうちの１または複数に第５のクライアント信号をマッピングする段階を備える。
【００１６】
第１の態様のうちのいずれか１つ、または、第１の態様の第１から第８の可能な実施例に関連し、第１の態様の第９の可能な実施例においては、光ペイロードユニット信号のペイロードエリアをｍ個の第１粒度のトリビュタリスロットへと分割する段階は、前記光ペイロードユニット信号の前記ペイロードエリアにおける列１から列３８０８の全列に周期的な態様で順に１からｍまで付番する段階を有し、同じ番号を有する列は同じ第１粒度のトリビュタリスロットに属する。
【００１７】
第２の態様によれば、本発明の実施形態は、光ペイロードユニット信号のペイロードをｍ個の第１粒度のトリビュタリスロットへと分割し、ｍ個の第１粒度のトリビュタリスロットのうちの１つをｎ個の第２粒度のトリビュタリスロットへと分割するよう構成されたトリビュタリスロット分割部であって、第１粒度のトリビュタリスロットのレートは第２粒度のトリビュタリスロットのレートのｎ倍であり、ｍは正の整数でありｎは１よりも大きな正の整数である、トリビュタリスロット分割部と、第１のクライアント信号を、ｎ個の第２粒度のトリビュタリスロットのうちの１または複数が位置するペイロードにマッピングし、光ペイロードユニット信号のための第１粒度のトリビュタリスロットのオーバヘッドおよび第２粒度のトリビュタリスロットのオーバヘッドを追加して光データユニット信号を生成するよう構成された信号マッピング部と、光データユニット信号を送信するよう構成された送信部と、を備える光伝送ネットワークデバイスを提供する。
【００１８】
第２の態様に関連し、第２の態様の第１の可能な実施例においては、前記トリビュタリスロット分割部はさらに、受信される第２のクライアント信号のレート、伝送距離、および、変調フォーマットの少なくとも１つに基づいて、前記ｍ個の第１粒度のトリビュタリスロットのうちの他の第１粒度のトリビュタリスロットをｘ個の第３粒度のトリビュタリスロットへと分割するよう構成され、前記第１粒度のトリビュタリスロットのレートは前記第３粒度のトリビュタリスロットのレートのｘ倍であり、ｘは１よりも大きな正の整数である。
【００１９】
第２の態様の第１の可能な実施例に関連し、第２の態様の第２の可能な実施例においては、信号マッピング部はさらに、第２のクライアント信号を、ｘ個の第３粒度のトリビュタリスロットのうちの１または複数が位置するペイロードにマッピングするよう構成される。
【００２０】
第２の態様に関連し、第２の態様の第３の可能な実施例においては、前記トリビュタリスロット分割部はさらに、第３のサービス信号のレート、伝送距離、および、変調フォーマットの少なくとも１つに基づいて、前記ｘ個の第３粒度のトリビュタリスロットのうちの１つをｚ個の第４粒度のトリビュタリスロットへと分割するよう構成され、前記信号マッピング部はさらに、前記ｚ個の第４粒度のトリビュタリスロットのうちの１または複数が位置するペイロードに前記第３のサービス信号をマッピングするよう構成され、ｚは１よりも大きな正の整数であり、前記光ペイロードユニット信号はさらに、前記第４粒度のトリビュタリスロットのオーバヘッドを有する。
【００２１】
第３の態様によれば、本発明の実施形態は、光伝送ネットワークデバイスであって、コンピュータ実行可能なプログラムコードを格納するよう構成されたメモリと、前記メモリに結合されたプロセッサと、を備え、前記プログラムコードは命令を有し、前記プロセッサにより実行された場合に、前記命令は前記光伝送ネットワークデバイスが、光ペイロードユニット信号のペイロードをｍ個の第１粒度のトリビュタリスロットへと分割することと、前記ｍ個の第１粒度のトリビュタリスロットのうちの１つをｎ個の第２粒度のトリビュタリスロットへと分割することであって、前記第１粒度のトリビュタリスロットのレートは前記第２粒度のトリビュタリスロットのレートのｎ倍であり、ｍは正の整数であり、ｎは１よりも大きな正の整数である、分割することと、第１のクライアント信号を、前記ｎ個の第２粒度のトリビュタリスロットのうちの１または複数が位置するペイロードにマッピングし、前記光ペイロードユニット信号のための前記第１粒度のトリビュタリスロットのオーバヘッドと前記第２粒度のトリビュタリスロットのオーバヘッドとを追加して、光データユニット信号を生成することと、前記光データユニット信号を送信することと、のオペレーションを行うことを可能とする、光伝送ネットワークデバイスを提供する。
【００２２】
本発明の実施形態によれば、光ペイロードユニットのペイロードがｍ個の第１粒度のトリビュタリスロットへと分割された後に、ｍ個の第１粒度のトリビュタリスロットのうちの１つがより小さい粒度のｎ個の第２粒度のトリビュタリスロットへとさらに分割され、第１のクライアント信号は第２粒度のトリビュタリスロットのうちの１または複数にマッピングされる。ゆえに、トリビュタリスロットは、カスタマイズされたクライアントサービスの伝送要件を満たすための要件に基づいて、ＯＴＮデータプレーン上で柔軟に分割され得る。同じベアラのコンテナが混合方式で異なる複数のレートのサービスを伝達し、帯域幅伝送効率を向上させる。
【図面の簡単な説明】
【００２３】
本発明の実施形態における、または従来技術における技術的解決手段をより明確に説明すべく、以下、実施形態または従来技術を説明するために必要な添付の図面について簡潔に説明する。以下の説明における添付の図面は、本発明の一部の実施形態を示すものに過ぎず、当業者であれば、これら添付の図面から創造的努力なく他の図面をさらに導き出し得ることは明らかである。
【００２４】
【図１】本発明の一実施形態によるＯＴＮフレームフォーマットの図である。
【００２５】
【図２】ＯＴＵＣｎ信号に定義されたＯＴＵＣｎフレームのフレーム構造を示す。
【００２６】
【図３】本発明の一実施形態によるＧＭＰマッピングを使用したＴＳディストリビューションの概略図である。
【００２７】
【図４】本発明の一実施形態によるＯＤＵｋ内のＯＰＵｋのペイロードトリビュタリスロット分割の概略図である。
【００２８】
【図５】本発明の一実施形態によるクライアント信号の伝送方法の概略フローチャートである。
【００２９】
【図６】本発明の一実施形態による光ペイロードユニット信号のペイロードに対する複数の粒度のトリビュタリスロット分割の実行の概略図である。
【００３０】
【図７】本発明の一実施形態に従ってペイロードが複数の粒度のトリビュタリスロットの分割を受けた光ペイロードユニット信号の構造図である。
【００３１】
【図８】本発明の一実施形態によるトリビュタリスロットのオーバヘッドの値の概略図である。
【００３２】
【図９】本発明の一実施形態によるトリビュタリスロットポインタのフィールドの概略構造図である。
【００３３】
【図１０】本発明の一実施形態による光伝送ネットワークデバイスの概略構造図である。
【００３４】
【図１１】本発明の一実施形態による光伝送ネットワークデバイスの概略構造図である。
【発明を実施するための形態】
【００３５】
本発明の実施形態の目的、技術的解決手段、および利点をより明確にするために、本発明の実施形態における添付図面に関連して本発明の実施形態における技術的解決手段を以下で明確かつ十分に説明する。説明される実施形態が、本発明の実施形態の全部ではなく一部であることは明らかである。本発明の実施形態に基づいて、当業者により創造的努力をすることなく取得される他の全ての実施形態は、本発明の保護範囲に含まれるものとする。
【００３６】
図１は、本発明の一実施形態によるＯＴＮフレームフォーマットの図である。図１に示されるように、ＯＴＮフレームは４０８０列４行を有する標準モジュール構造である。ＯＴＮフレームのヘッダにおける１６列はオーバヘッドバイトであり、ＯＴＮフレームの中途部の３８０８列はペイロードであり、ＯＴＮフレームの末尾の２５６列はＦＥＣチェックバイトである。ＯＴＮフレームは、フレーム同期およびポジショニング機能を提供するのに使用されるＦＡＳ（Ｆｒａｍｅ  Ａｌｉｇｎｍｅｎｔ  Ｓｉｇｎａｌ、フレームアライメント信号）バイトを行１かつ列１から７に有する。ここで、ＦＡＳの第７バイトは、クライアントサービスデータの複数の要素が時分割多重方式で伝達される場合にオーバヘッド割当てを示すのに使用されるマルチフレームアライメント信号（Ｍｕｌｔｉ−Ｆｒａｍｅ  Ａｌｉｇｎｍｅｎｔ  Ｓｉｇｎａｌ、ＭＦＡＳ）である。ＯＴＮフレームは、光チャネル伝送ユニットレベルのネットワーク管理機能を提供するのに使用されるＯＴＵｋ  ＯＨ（Ｏｐｔｉｃａｌ  Ｃｈａｎｎｅｌ  Ｔｒａｎｓｐｏｒｔ  Ｕｎｉｔ−ｋ  Ｏｖｅｒｈｅａｄ、光チャネル伝送ユニット−ｋオーバヘッド）バイトを行１かつ列８から１４に、保守および運用機能を提供するのに使用されるＯＤＵｋ  ＯＨ（Ｏｐｔｉｃａｌ  Ｃｈａｎｎｅｌ  Ｄａｔａ  Ｕｎｉｔ−ｋ  Ｏｖｅｒｈｅａｄ、光チャネルデータユニット−ｋオーバヘッド）バイトを行２から４かつ列１から１４に、クライアントサービスデータ適応機能を提供するのに使用されるＯＰＵｋ  ＯＨ（Ｏｐｔｉｃａｌ  Ｃｈａｎｎｅｌ  Ｐａｙｌｏａｄ  Ｕｎｉｔ−ｋ  Ｏｖｅｒｈｅａｄ、光チャネルペイロードユニット−ｋオーバヘッド）バイトを列１５および１６に、有する。ここで、ＯＰＵｋ  ＯＨバイトはペイロード構造識別子（Ｐａｙｌｏａｄ  Ｓｔｒｕｃｔｕｒｅ  Ｉｄｅｎｔｉｆｉｅｒ、ＰＳＩ）を有し、ＰＳＩはＭＦＡＳにより命令された場合に０から２５５の可能な値に対応する。第０バイトはクライアントサービスデータタイプ識別子（ペイロードタイプ、ＰＴ）であり、他のバイトは将来の拡張時の使用のために確保された予備のバイト（Ｒｅｓｅｒｖｅｄ、ＲＥＳ）である。ＯＴＮフレームは、クライアントサービスデータを伝達する機能を提供するのに使用されるＯＰＵｋ（Ｏｐｔｉｃａｌ  Ｃｈａｎｎｅｌ  Ｐａｙｌｏａｄ  Ｕｎｉｔ−ｋ、光チャネルペイロードユニット−ｋ）バイトを列１７から３８２４に有する。ここで、伝送されるクライアントサービスデータはＯＰＵｋへと組み込まれる。ＯＴＮフレームは、誤り検出および誤り訂正機能を提供するのに使用されるＦＥＣバイトを列３８２５から４０８０に有する。係数ｋは、サポートされたビットレートを表す。異なるビットレートは異なるタイプのＯＰＵｋ、ＯＤＵｋおよびＯＴＵｋに対応する。本明細書においてｋ＝０はビットレートが１．２５ギガビット／秒であることを示し、Ｋ＝１はビットレートが２．５ギガビット／秒であることを示し、ｋ＝２はビットレートが１０ギガビット／秒であることを示し、ｋ＝３はビットレートが４０ギガビット／秒であることを示し、Ｋ＝４はビットレートが１００ギガビット／秒であることを示す。ＯＰＵｋおよびＯＰＵｋ  ＯＨはＯＰ��ｋフレームを形成し、ＯＰＵｋフレーム、ＯＤＵｋ  ＯＨおよびＦＡＳはＯＤＵｋフレームを形成し、ＯＤＵｋフレーム、ＯＴＵｋ  ＯＨおよびＦＥＣバイトはＯＴＵｋフレームを形成する。
【００３７】
近年、１００ギガビット／秒より速いＯＴＮのアプリケーションのために、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｅｃｔｏｒ、国際電気通信連合−電気通信標準化区画）は、ＯＴＵＣｎ（Ｏｐｔｉｃａｌ  Ｃｈａｎｎｅｌ  Ｔｒａｎｓｐｏｒｔ  Ｕｎｉｔ−Ｃｎ、光チャネル伝送ユニット−Ｃｎ）インタフェース（Ｃはローマ数字１００、ｎは正の整数）を策定している。ＯＴＵＣｎインタフェースは、処理能力がｎ×１００ギガビット／秒のレートを持つ電気的インタフェースを提供し、ＯＴＵＣｎ信号は２０×ｎ５ギガビット／秒のトリビュタリスロットを有する。
【００３８】
図２はＯＴＵＣｎ信号に定義されたＯＴＵＣｎフレームのフレーム構造を示す。ＯＴＵＣｎフレームはｎ個のＯＴＵサブフレームを有し、各ＯＴＵサブフレームは４行３８２４列を有する。ＦＡ  ＯＨ（Ｆｒａｍｅ  Ａｌｉｇｎｍｅｎｔ  Ｏｖｅｒｈｅａｄ、フレームアライメントオーバヘッド）はフレームポジショニングニングオーバヘッドバイトであり、フレームの同期およびポジショニング機能を提供する。ＯＴＵ  ＯＨはＯＴＵＣｎオーバヘッドバイトである。ＯＴＵＣｎは１つの信号として管理および監視され、光チャネル伝送ユニットレベルのネットワーク管理機能が提供される。ＯＴＵＣｎオーバヘッドの大半のオーバヘッド情報はＯＴＵサブフレーム１（ＯＴＵ  ｓｕｂｆｒａｍｅ＃１）のＯＴＵ  ＯＨを使用することで伝達され、残りのオーバヘッド情報は複数の他のＯＴＵサブフレームを使用して伝達される。ＯＴＵＣｎフレームはＦＡ  ＯＨおよびＯＴＵＣｎオーバヘッドをＯＤＵＣｎ（Ｏｐｔｉｃａｌ  Ｃｈａｎｎｅｌ  Ｄａｔａ  Ｕｎｉｔ−Ｃｎ、光チャネルデータユニット−Ｃｎ）フレームに追加することで形成される。ＯＤＵＣｎフレームはｎ個のＯＤＵサブフレームを有し、各ＯＤＵサブフレームは４行３８２４列を有する。ＯＤＵＣｎフレームはＯＤＵＣｎオーバヘッドをＯＰＵＣｎ（Ｏｐｔｉｃａｌ  Ｃｈａｎｎｅｌ  Ｐａｙｌｏａｄ  Ｕｎｉｔ−Ｃｎ、光チャネルペイロードユニット−Ｃｎ）フレームに追加することで形成される。ＯＰＵＣｎフレームはｎ個のＯＰＵサブフレームを有し、各ＯＰＵサブフレームは４行３８１０列を有する。各ＯＰＵサブフレームは２列のオーバヘッドエリアと３８０８列のペイロードエリアとを有する。各ＯＰＵサブフレームは、低次のサービスを伝達するのに使用される２０個の５ギガビット／秒のトリビュタリスロットを有する。ＯＴＵＣｎフレームが送信される前に、ＯＴＵＣｎフレームを伝送する物理インタフェースのタイプに基づいて、ＯＴＵＣｎフレームのｎ個のＯＴＵサブフレームに単一バイトまたはマルチバイトのインターリーブ処理、例えば単一バイトまたは１６バイトのインターリーブ処理が行われて、シリアルなＯＴＵＣｎビットデータストリームが形成される。シリアルなＯＴＵＣｎビットデータストリームは対応するレートを持つ光モジュールを使用して送信される。
【００３９】
マッピング処理は、異なるタイプの送信されるサービスをＯＰＵペイロードエリア（Ｐａｙｌｏａｄ  Ａｒｅａ）にマッピングする方法である。例えば、この実施形態においては、クライアントサービスデータをＯＰＵにマッピングするのにＧＭＰマッピング処理が使用される。図３は、本発明の一実施形態によるＧＭＰマッピングを使用したＴＳディストリビューションの概略図である。図３のＧＭＰ  ＯＨは図１のＯＰＵｋ  ＯＨに等しい。この実施形態におけるＧＭＰ  ＯＨは、ＴＳ調整を示すのに使用されるＴＳ情報を含む。図３の１または複数のＴＳは、クライアントサービスデータを伝送するべくＧＭＰブロックコンテナを形成する。
【００４０】
図３において、ＯＰＵ２を使用して特定のＧＭＰマッピング方法が説明される。ＯＰＵ２フレームのペイロードエリアは８個のＴＳへと分割される。各列の４行はトリビュタリスロットを形成する。ＯＰＵ２フレームのペイロードエリアにおける全ての列のトリビュタリスロットは、周期的な態様で順にＴＳ１，ＴＳ２，ＴＳ３，…およびＴＳ８として特定される。８個のＯＰＵ２フレームが１つのＯＰＵ２の８−マルチフレームを形成する。クライアントサービスデータは、ＯＰＵ２の８−マルチフレームのペイロードエリアにおける１または複数のトリビュタリスロットにマッピングされてよい。ＯＰＵ２の８−マルチフレームにおける１または複数のＴＳは、ＧＭＰブロックコンテナを形成してサービスデータを伝達してよい。本明細書において３つのＴＳ：ＴＳ１，ＴＳ３およびＴＳ４がサービスデータを伝送するのに使用される。
【００４１】
クライアントサービスデータは行単位のＧＭＰブロックコンテナへと入れられる。行内の対応するトリビュタリスロットが満たされた後に、次の行内の対応するトリビュタリスロットに対し、同様のデータを入れるオペレーションが実行される。図３に示されるように、このケースではＧＭＰブロックコンテナによって占有されるＴＳの数は３であり、マッピング粒度は３バイト（ｂｙｔｅ）である。クライアントデータがＧＭＰブロックコンテナへと入れられる場合に、（マッピング中のクロック情報により決定される）１クロック周期内に、クライアントデータのうち３バイトがそれぞれ列１７、１９および２０の行１に足され、次に、第２のクロック周期内に、クライアントデータのうち他の３バイトがそれぞれ列２５、２７および２８の行１に足される。以下同様に、行が満たされた後に、同様の入れるオペレーションが次の行に実行される。
【００４２】
ＯＴＮ内でクライアント信号を送信するプロセスは、次の通りである。ＧＭＰプロトコルを使用してクライアント信号がＯＤＵｋに多重化される。前方誤り訂正（ＦＥＣ、Ｆｏｒｗａｒｄ  Ｅｒｒｏｒ  Ｃｏｒｒｅｃｔｉｏｎ）データがＯＤＵｋに足されてＯＴＵｋを形成する。次に、ＯＴＵｋが伝送される。
【００４３】
具体的には、クライアント信号がＯＤＵｋに多重化される前に、ＯＤＵｋのペイロードエリアがｎ個のトリビュタリスロットＴＳ（Ｔｒｉｂｕｔａｒｙ  Ｓｌｏｔ，ＴＳ）へと分割される。
【００４４】
ＯＤＵｋの列１７から３８２４はペイロードエリアであり、ＯＤＵｋのペイロードエリアは合計で３８０８列を有する。ＯＤＵｋのペイロードエリアをｎ個のトリビュタリスロットへと分割する方式は、次の通りである。
【００４５】
図４に示されるように、トリビュタリスロットの分割は、各ＯＤＵｋフレームにおけるＯＰＵｋペイロードに実行される。ＯＤＵｋの列１７から３８２４、すなわちＯＤＵｋのペイロードエリアにおける列１から列３８０８は、周期的な態様で順に１からｎまで付番される。ＯＤＵｋのペイロードエリアにおける列３８０８の数はＭｏｄ（３８０８／ｎ）であり、Ｍｏｄ（３８０８／ｎ）は３８０８をｎで割って取得される剰余を表す。同じ番号を有する列は同じトリビュタリスロットに属する。各トリビュタリスロットはｉｎｔ（３８０８／ｎ）個の列を占有し、ｉｎｔ（３８０８／ｎ）は３８０８をｎで割って切り捨てた結果を表す。例えば、ｎが５に等しい場合には、３８０８／５は７６１．６に等しく、ｍｏｄ（３８０８／５）は３に等しく、ｉｎｔ（３８０８／５）は７６１に等しい。３８０８がｎで割り切れない場合には、剰余に対応する複数の列のバイトが充填される。例えば、ｎが５に等しい場合には、３８０５は５で割り切れるので、３つの残りの列が充填される。各トリビュタリスロットがｉｎｔ（３８０８／ｎ）列を占有し、各列は４バイトを有するので、各トリビュタリスロットは４×ｉｎｔ（３８０８／ｎ）バイトを占有する。
【００４６】
図５を参照すると、図５は、本発明の一実施形態によるクライアント信号の伝送方法の概略フローチャートである。方法は次の処理を有する。
【００４７】
段階Ｓ５０１：光ペイロードユニットＯＰＵ信号のペイロードをｍ個の第１粒度のトリビュタリスロットへと分割する。
【００４８】
光伝送ネットワークデバイスによりＯＰＵ信号のペイロードエリアをｍ個の第１粒度のトリビュタリスロットへと分割することは、ＯＰＵ信号のペイロードエリアにおける列１から列３８０８内のＭバイト毎に周期的な態様で順に１からｍまで付番することを含んでよい。ここで、同じ番号を有するバイトは同じ第１粒度のトリビュタリスロットに属し、Ｍは正の整数である。
【００４９】
あるいは、光伝送ネットワークデバイスによりＯＰＵ信号のペイロードエリアをｍ個の第１粒度のトリビュタリスロットへと分割することは、ＯＰＵ信号におけるペイロードエリアの列１から列３８０８に周期的な態様で順に１からｍまで付番することを含んでよい。ここで、同じ番号を有する列は同じ第１粒度のトリビュタリスロットに属する。
【００５０】
ＯＤＵｋ内の係数ｋはサポートされたビットレートを表す。異なるビットレートは異なるタイプのＯＰＵｋ、ＯＤＵｋおよびＯＴＵｋに対応する。ＯＰＵｋおよびＯＰＵｋ  ＯＨはＯＰＵｋフレームを形成し、ＯＰＵｋフレーム、ＯＤＵｋ  ＯＨおよびＦＡＳはＯＤＵｋフレームを形成し、ＯＤＵｋフレーム、ＯＴＵｋ  ＯＨおよびＦＥＣバイトはＯＴＵｋフレームを形成する。本明細書において、ｋ＝２およびｍ＝４が例として使用される。ここで、ｋ＝２はＯＤＵ２のビットレートが１０ギガビット／秒であることを示し、ｍ＝４はＯＤＵ２に含まれるＯＰＵ２信号のペイロードが４つの第１粒度のトリビュタリスロットへと分割されることを示し、各第１粒度のトリビュタリスロットのビットレートは２．５Ｇである。
【００５１】
段階Ｓ５０２：ｍ個の第１粒度のトリビュタリスロットのうちの１つをｎ個の第２粒度のトリビュタリスロットへと分割する。ここで、第１粒度のトリビュタリスロットのレートは第２粒度のトリビュタリスロットのレートのｎ倍であり、ｍは正の整数であり、ｎは１よりも大きな正の整数である。
【００５２】
既存のＯＤＵｋ、例えばＯＤＵ２は、１．２５Ｇおよび２．５Ｇという２つの固定トリビュタリスロット粒度を有する。これらのトリビュタリスロット粒度は、効率的なサービス伝達をある程度限定し、最適な帯域幅伝送効率を提供することができない。本発明のこの実施形態においては、図６に示されるように、光伝送ネットワークデバイスはさらに、第１粒度のトリビュタリスロットのレート２．５Ｇを、第２粒度のトリビュタリスロットのレートへと分割してよい。第１粒度のトリビュタリスロットのレートは第２粒度のトリビュタリスロットのレートのｎ倍であり、ｎは１よりも大きい整数である。例えば、分割後に取得される第２粒度のトリビュタリスロットのレートはレート２．５Ｇの１／２，１／３または１／４であってよい。本明細書において、第２粒度のトリビュタリスロットのレートに対する第１粒度のトリビュタリスロットレートのレートの割合、すなわちｎの値は、伝達される必要のある第１のクライアント信号のレートに基づいて決定されてよい。例えば、第１のクライアント信号のレートが０．８Ｇである場合であって、レート２．５Ｇが３つの第２粒度のトリビュタリスロットのレートへと分割される場合に、第２粒度のトリビュタリスロットのレートは０．８３３Ｇである。ゆえに、１つの第１粒度のトリビュタリスロットのレートは、３つの第２粒度のトリビュタリスロットのレート０．８８３３Ｇへと分割されてよい。
【００５３】
段階Ｓ５０３：第１のクライアント信号を、ｎ個の第２粒度のトリビュタリスロットのうちの１つが位置するペイロードにマッピングする。
【００５４】
第１粒度のトリビュタリスロットのレートが２．５Ｇであり、第２粒度のトリビュタリスロットのレートが０．８３３Ｇであり、第１のクライアント信号のレートが０．８Ｇであることがさらに例として使用される。光伝送ネットワークデバイスは、第１のクライアント信号を、３つの第２粒度のトリビュタリスロットのうちの１つが位置するペイロードにマッピングしてよい。図６は、ＯＰＵ２のペイロードのトリビュタリスロット分割の概略図である。図６において、ＴＳａ１からＴＳａ４は、レートが２．５Ｇの第１粒度のトリビュタリスロットである。１つの第１粒度のトリビュタリスロットＴＳａ１が、３つの第２粒度のトリビュタリスロットＴＳｂ１、ＴＳｂ２およびＴＳｂ３へと分割される。レートが０．８Ｇの第１のクライアントサービス信号は、トリビュタリスロットＴＳｂ１が位置するペイロードにマッピングされてよい。
【００５５】
本明細書において、第１のクライアント信号は、ｎ個の第２粒度のトリビュタリスロットへと分割された第１粒度のトリビュタリスロットの一部または全部を占有し、他の占有されていない第１粒度のトリビュタリスロットは、他のクライアント信号を伝達するのに使用され得る。例えば、他のクライアント信号は、ｍ個の第１粒度のトリビュタリスロットにおける他の第１粒度のトリビュタリスロットであって、ｎ個の第２粒度のトリビュタリスロットへと分割された第１粒度のトリビュタリスロットとは異なる他の第１粒度のトリビュタリスロットのうちの１または複数にマッピングされてよい。
【００５６】
段階Ｓ５０４：ＯＰＵ信号のための第１粒度のトリビュタリスロットのオーバヘッドおよび第２粒度のトリビュタリスロットのオーバヘッドを追加してＯＤＵ信号を生成する。
【００５７】
第１粒度のトリビュタリスロットのオーバヘッドは、ＯＤＵ信号のＯＰＵオーバヘッドに位置し、第２粒度のトリビュタリスロットのオーバヘッドはＯＰＵ信号のペイロードに位置する。第１粒度のトリビュタリスロットのオーバヘッドは各第１粒度のトリビュタリスロットを識別するのに使用される。第１粒度のトリビュタリスロットのオーバヘッドはさらに、第１粒度のトリビュタリスロットが他の粒度のトリビュタリスロットへと分割されたか否かを示すのに使用される情報を含んでよい。第１粒度のトリビュタリスロットが他の粒度のトリビュタリスロットへと分割されたことを第１粒度のトリビュタリスロットのオーバヘッドが示す場合、第１粒度のトリビュタリスロットのオーバヘッドはさらに、第１粒度のトリビュタリスロットから分割された他の粒度のトリビュタリスロットの数を示す情報を有する。第２粒度のトリビュタリスロットのオーバヘッドは第２粒度のトリビュタリスロットそれぞれの第１バイトに位置してよい。第２粒度のトリビュタリスロットのオーバヘッド分散情報はＭＦＡＳフィールド内に記憶されてよい。
【００５８】
段階Ｓ５０５：ＯＤＵ信号を送信する。
【００５９】
具体的には、光伝送ネットワークデバイスによりＯＤＵ信号を送信することは、ＯＤＵ信号のためのＯＴＵオーバヘッドを追加してＯＴＵ信号を生成し、ＯＴＵ信号を送信することで実施されてよい。
【００６０】
第１粒度のトリビュタリスロットが第２粒度のトリビュタリスロットへと分割された後に、第２粒度のトリビュタリスロットはさらに、サービスレート、伝送距離および変調フォーマットのうちの少なくとも１つ、例えばより小さなサービスレートの伝達要求に基づいて分割されてよい。便宜的に、本明細書では第１粒度のトリビュタリスロットはレベル１の粒度のトリビュタリスロットと称され、第２粒度のトリビュタリスロットはレベル２の粒度のトリビュタリスロットと称され、第２粒度のトリビュタリスロットがさらに分割された後に取得されるトリビュタリスロットはレベル３の粒度のトリビュタリスロットと称される。図７に示されるように、レベル１のトリビュタリスロットのうちの１つはレベル２のトリビュタリスロットへと分割され、レベル３のトリビュタリスロットはレベル３のトリビュタリスロットへとさらに分割されてよい。レベル１のトリビュタリスロットが２．５Ｇであると仮定すると、レベル２のトリビュタリスロットは０．５Ｇであってよく、レベル３のトリビュタリスロットは０．０５Ｇであってよい。レベル３のトリビュタリスロットがサービス伝送に使用される場合、０．１Ｇ程度に小さいサービスが伝送されてよい。明らかに、レベル３のトリビュタリスロットを使用する伝送は、レベル１のトリビュタリスロットを使用する伝送に対し、いっそうフレキシブルかつ省資源である。レベル１のトリビュタリスロットのオーバヘッドがＯＰＵのオーバヘッドに位置し得、レベル２のトリビュタリスロットのオーバヘッドがレベル２のトリビュタリスロットの第１バイトに位置し得、レベル３のトリビュタリスロットのオーバヘッドがレベル３のトリビュタリスロットの第１バイトに位置し得ることが図８から理解され得る。レベル１のトリビュタリスロットのオーバヘッドは、レベル１のトリビュタリスロットのトリビュタリスロットポインタ（Ｔｒｉｂｕｔａｒｙ  Ｓｌｏｔ  Ｐｏｉｎｔｅｒ、ＴＳＰ）を有してよい。レベル１のトリビュタリスロットのＴＳＰはＯＰＵオーバヘッドのＭＳＩ（Ｍｕｌｔｉｐｌｅｘ  Ｓｔｒｕｃｔｕｒｅ  Ｉｄｅｎｔｉｆｉｅｒ、多重化構造識別子）フィールドを使用して伝達されてよい。ＯＰＵ信号のペイロードがレベル１のトリビュタリスロットへと分割されることが想定されている。ＭＦＡＳ値はＭＳＩフィールド内の第２ＭＳＩ、すなわちＭＳＩ［２］に記憶される。本明細書においてＭＦＡＳ値は２であり、このことはレベル１のトリビュタリスロットにおける第１トリビュタリスロットのトリビュタリスロットポインタがＭＳＩ［２］内に記憶されることを示す。ＭＳＩフィールド内の第３ＭＳＩに記憶されるＭＦＡＳ値、すなわちＭＳＩ［３］は３であり、このことはレベル１のトリビュタリスロット内の第２トリビュタリスロットのトリビュタリスロットポインタがＭＳＩ［３］内に記憶されることを示す。以下同様に、具体的には図８に示されるように、レベル１のトリビュタリスロットにおける（ａ＋１）番目のトリビュタリスロットのトリビュタリスロットポインタはＭＳＩフィールドにおける（ａ＋１）番目のＭＳＩ、すなわちＭＳＩ［ａ＋１］内に記憶される。
【００６１】
図８に示されるように、レベル２のトリビュタリスロットのトリビュタリスロットポインタに対し、レベル２のトリビュタリスロットｉのＭＦＡＳ値は０に設定されてよく、これによりレベル２のトリビュタリスロットのトリビュタリスロットポインタがレベル２のトリビュタリスロットｉの第１バイトに記憶されることを示してよい。同様に、レベル３のトリビュタリスロットのトリビュタリスロットポインタに対し、レベル３のトリビュタリスロットｉのＭＦＡＳ値は１に設定されてよく、これによりレベル３のトリビュタリスロットのトリビュタリスロットポインタがレベル３のトリビュタリスロットｉの第１バイトに記憶されることを示してよい。以下同様に、レベルＮのトリビュタリスロットのトリビュタリスロットポインタに対し、レベルＮのトリビュタリスロットのＭＦＡＳ値はＮに設定されてよく、これによりレベルＮのトリビュタリスロットのトリビュタリスロットポインタがレベルＮのトリビュタリスロットＮの第１バイトに記憶されることを示してよい。
【００６２】
トリビュタリスロットポインタの内容は、図９に示されるように２つのフィールドを有する。これらは具体的には以下の通りである。
【００６３】
（１）ＴＳ＿Ｃｈｉｌｄ：１ビットであり、他の粒度のトリビュタリスロットが現在のトリビュタリスロット内にネストされているか否かを示すのに使用される。ＴＳ＿Ｃｈｉｌｄが０である場合には、次のレベルのトリビュタリスロットが現在のトリビュタリスロットにネストされていないことを示す。ＴＳ＿Ｃｈｉｌｄが１である場合には、他の粒度のトリビュタリスロットが現在のトリビュタリスロットにネストされていることを示す。
【００６４】
（２）ＴＳ＿ＮＵＭ／ＣＩＤ：７ビットである。このフィールドは２つの意味を持ち：ＴＳ＿Ｃｈｉｌｄ＝０の場合には、このフィールドは現在のトリビュタリスロット内で伝達されるクライアントサービス情報、例えばクライアントサービスのＩＤ（Ｉｄｅｎｔｉｆｉｅｒ、識別子）値、すなわちＣＩＤ（Ｃｌｉｅｎｔ  Ｓｅｒｖｉｃｅ  Ｉｄｅｎｔｉｆｉｅｒ、クライアントサービスの識別子）等、を格納するのに使用される。ＴＳ＿Ｃｈｉｌｄ＝１の場合には、このフィールドは、現在のトリビュタリスロットにネストされる他の粒度のトリビュタリスロットの数、すなわちＴＳ＿ＮＵＭ（Ｔｒｉｂｕｔａｒｙ  Ｓｌｏｔ  Ｎｕｍｂｅｒ、トリビュタリスロット数）を格納するのに使用される。
【００６５】
本明細書において、他の粒度のトリビュタリスロットが現在のトリビュタリスロットにネストされているか否かは、現在のトリビュタリスロットが他の粒度のトリビュタリスロットへと分割されているか否かを意味し、現在のトリビュタリスロットにネストされる他の粒度のトリビュタリスロットの数は、現在のトリビュタリスロットから分割された他の粒度のトリビュタリスロットの数を意味する。現在のトリビュタリスロットはより小さいレートのトリビュタリスロットのみへと分割され得るので、本明細書で言及される他の粒度のトリビュタリスロットは一般に次のレベルのトリビュタリスロットと称され得る。
【００６６】
図５のクライアント信号の伝送方法は、ｍ個の第１粒度のトリビュタリスロットのうちの１つをｎ個の第２粒度のトリビュタリスロットへと分割する解決法を説明するに過ぎない。ｍ個の第１粒度のトリビュタリスロットのうちの他の第１粒度のトリビュタリスロットは、第２のクライアント信号のレート、伝送距離および変調フォーマットのうちの少なくとも１つに基づいてｘ個の第３粒度のトリビュタリスロットへとさらに分割され得ることに留意するべきである。ここで、第１粒度のトリビュタリスロットのレートは第３粒度のトリビュタリスロットのレートのｘ倍であり、ｘは１よりも大きな正の整数である。例えば、図６においてＯＰＵ２信号のペイロード部分は第１粒度のトリビュタリスロットＴＳａ１、ＴＳａ２、ＴＳａ３およびＴＳａ４へと分割される。各第１粒度のトリビュタリスロットのレートは２．５Ｇである。１つの第１粒度のトリビュタリスロットＴＳａ１は、第１のクライアントサービス信号のレート０．８Ｇに基づいて第２粒度のトリビュタリスロットＴＳｂ１、ＴＳｂ２およびＴＳｂ３へと分割される。各第２粒度のトリビュタリスロットのレートは０．８３３である。１つの第２粒度のトリビュタリスロットＴＳｂ１は第１のクライアントサービス信号を伝達するのに使用されてよい。本明細書において他の第１粒度のトリビュタリスロットＴＳａ２はまた、第２のクライアントサービス信号のレートに基づいて、例えば第２のクライアントサービス信号のレートが１．２５Ｇである場合に、第３粒度のトリビュタリスロットＴＳｃ１およびＴＳｃ２へと分割されてよい。各第３粒度のトリビュタリスロットのレートは１．２５Ｇであり、１つの第３粒度のトリビュタリスロットＴＳｃ１は第２のクライアントサービス信号を伝達するのに使用されてよい。
【００６７】
図１０は、本発明の一実施形態による光伝送ネットワークデバイス１００の概略構造図である。光伝送ネットワークデバイス１００は、プロセッサ（例えばメインボード）１００１、メモリ１００２、ＯＴＮラインボード１００３、クロス接続ボード１００４、およびＯＴＮトリビュタリボード１００５を備えてよい。サービスの伝送方向はクライアント側からライン側でもよいし、ライン側からクライアント側でもよい。クライアント側により送信または受信されるサービスはクライアント側サービスと称され、ライン側により受信または送信されるサービスはＷＤＭ側サービスと称される。２つの方向におけるサービス処理手順は逆の処理である。
【００６８】
プロセッサ１００１はバスを使用してまたは直接にメモリ１００２、ＯＴＮラインボード１００３、クロス接続ボード１００４およびＯＴＮトリビュタリボード１００５に接続され、ＯＴＮラインボード１００３、クロス接続ボード１００４およびＯＴＮトリビュタリボード１００５を制御および管理するよう構成される。
【００６９】
ＯＴＮトリビュタリボード１００５はクライアント信号（サービス信号）の組み込みおよびマッピングを完了するよう構成される。クライアント信号は、ＡＴＭ（Ａｓｙｎｃｈｒｏｎｏｕｓ  Ｔｒａｎｓｆｅｒ  Ｍｏｄｅ、非同期伝達モード）サービス、ＳＤＨ（Ｓｙｎｃｈｒｏｎｏｕｓ  Ｄｉｇｉｔａｌ  Ｈｉｅｒａｒｃｈｙ、同期デジタル階層）サービス、イーサネット（登録商標）サービス、ＣＰＲＩ（Ｃｏｍｍｏｎ  Ｐｕｂｌｉｃ  Ｒａｄｉｏ  Ｉｎｔｅｒｆａｃｅ、一般的な公開無線インタフェース）サービス、および、ストレージサービスなどの複数のサービスタイプを含む。具体的に、トリビュタリボード１００５はクライアント側から信号を受信し、受信したクライアント信号をＯＤＵ（Ｏｐｔｉｃａｌ  Ｃｈａｎｎｅｌ  Ｄａｔａ  Ｕｎｉｔ、光チャネルデータユニット）信号に組み込みおよびマッピングし、かつ、対応するＯＴＮの管理・監視オーバヘッドを追加するよう構成される。ＯＴＮトリビュタリボード１００５上で、ＯＤＵ信号は低次のＯＤＵ信号、例えばＯＤＵ０、ＯＤＵ１、ＯＤＵ２、ＯＤＵ３またはＯＤＵｆｌｅｘであってよい。ＯＴＮの管理・監視オーバヘッドはＯＤＵオーバヘッドであってよい。異なるタイプのクライアント信号が、異なる方式により異なるＯＤＵ信号に組み込みおよびマッピングされる。
【００７０】
クロス接続ボード１００４は、トリビュタリボード１００５とラインボード１００３との間の完全なクロス接続を完成させて、フレキシブルなＯＤＵ信号のクロス接続スケジューリングを実装するよう構成される。具体的に、クロス接続ボード１００４は、任意のトリビュタリボードから任意のラインボードへとＯＤＵ信号を伝送することができ、或いは、任意のラインボードから任意のラインボードへとＯＴＵ信号を伝送することができ、或いは、任意のトリビュタリボードから任意のトリビュタリボードへとクライアント信号を伝送することができる。
【００７１】
ＯＴＮラインボード１００３はＯＤＵ信号に基づいてＯＴＵ信号を生成し、ＯＴＵ信号をライン側に送信するよう構成される。ＯＤＵ信号に基づいてＯＴＵ信号を生成する前に、ＯＴＮラインボード１００３は、複数の低次のＯＤＵ信号を高次のＯＤＵ信号へと多重化し、次に、対応するＯＴＮの管理・監視オーバヘッドを高次のＯＤＵ信号に追加してＯＴＵ信号を生成し、ライン側の光伝送チャネルにＯＴＵ信号を送信してよい。ＯＴＮラインボード１００３上で、高次のＯＤＵ信号は、ＯＤＵ１、ＯＤＵ２、ＯＤＵ３、ＯＤＵ４、などであってよい。ＯＴＮ管理・監視オーバヘッドはＯＴＵオーバヘッドであってよい。
【００７２】
プロセッサ１００１は、ＯＴＮトリビュタリボード１００５およびＯＴＮラインボード１００３とインタラクションを行い、メモリ１００２にプログラムを呼び出し、伝送デバイスを制御する。例えば、プロセッサ１００１は伝送デバイスにおけるＯＴＮトリビュタリボード１００５およびＯＴＮラインボード１００３の１または複数を制御して以下のオペレーション：ＯＰＵ信号のペイロードをｍ個の第１粒度のトリビュタリスロットへと分割すること；ｍ個の第１粒度のトリビュタリスロットのうちの１つをｎ個の第２粒度のトリビュタリスロットへと分割することであって、第１粒度のトリビュタリスロットのレートは第２粒度のトリビュタリスロットのレートのｎ倍であり、ｍは正の整数であり、ｎは１よりも大きな正の整数であること；第１のクライアント信号を、ｎ個の第２粒度のトリビュタリスロットのうちの１または複数が位置するペイロードにマッピングすること；ＯＰＵ信号のための第１粒度のトリビュタリスロットのオーバヘッドおよび第２粒度のトリビュタリスロットのオーバヘッドを追加してＯＤＵ信号を生成すること；および、ＯＤＵ信号を送信すること、を実行する。具体的に、ＯＤＵ信号を送信することは、ＯＤＵ信号のためのＯＴＵオーバヘッドを追加してＯＴＵ信号を生成し、ＯＴＵ信号を送信することにより実装されてよい。
【００７３】
上記に含められ上述のプロセッサにより実行されるオペレーションの具体的な実装例に関しては、図５の光伝送ネットワークデバイスにより実行された対応する複数の段階と、対応する実施形態とを参照されたい。本発明のこの実施形態においては、詳細を再度説明しない。
【００７４】
図１１は、本発明の一実施形態による光伝送ネットワークデバイス１１０の単純化された機能ブロック図である。光伝送ネットワークデバイスはクライアント信号を伝送するよう構成される。光伝送ネットワークデバイス１１０は、光ペイロードユニット信号のペイロードをｍ個の第１粒度のトリビュタリスロットへと分割し、ｍ個の第１粒度のトリビュタリスロットのうちの１つをｎ個の第２粒度のトリビュタリスロットへと分割するよう構成されたトリビュタリスロット分割部１１０１であって、第１粒度のトリビュタリスロットのレートは第２粒度のトリビュタリスロットのレートのｎ倍であり、ｍは正の整数でありｎは１よりも大きな正の整数である、トリビュタリスロット分割部１１０１と、第１のクライアント信号を、ｎ個の第２粒度のトリビュタリスロットのうちの１または複数が位置するペイロードにマッピングし、光ペイロードユニット信号のための第１粒度のトリビュタリスロットのオーバヘッドおよび第２粒度のトリビュタリスロットのオーバヘッドを追加して光データユニット信号を生成するよう構成された信号マッピング部１１０２と、光データユニット信号を送信するよう構成された送信部１１０３と、を備える。
【００７５】
任意選択で、トリビュタリスロット分割部１１０１はさらに、受信した第２のクライアント信号のレート、伝送距離および変調フォーマットのうちの少なくとも１つに基づいて、ｍ個の第１粒度のトリビュタリスロットのうちの他の第１粒度のトリビュタリスロットをｘ個の第３粒度のトリビュタリスロットへと分割するよう構成される。ここで、第１粒度のトリビュタリスロットのレートは第３粒度のトリビュタリスロットのレートのｘ倍であり、ｘは１よりも大きな正の整数である。
【００７６】
任意選択で、信号マッピング部１１０２はさらに、第２のクライアント信号を、ｘ個の第３粒度のトリビュタリスロットのうちの１または複数が位置するペイロードにマッピングするよう構成される。
【００７７】
任意選択で、トリビュタリスロット分割部１１０１はさらに、第３のサービス信号のレート、伝送距離、および、変調フォーマットの少なくとも１つに基づいて、ｘ個の第３粒度のトリビュタリスロットのうちの１つをｚ個の第４粒度のトリビュタリスロットへと分割するよう構成される。
信号マッピング部１１０２はさらに、ｚ個の第４粒度のトリビュタリスロットのうちの１または複数が位置するペイロードに第３のサービス信号をマッピングするよう構成される。ここで、ｚは１よりも大きな正の整数であり、光ペイロードユニット信号はさらに、第４粒度のトリビュタリスロットのオーバヘッドを有する。
【００７８】
上述の光伝送ネットワークデバイスに含まれるユニットにより実行されるオペレーションの具体的な実装例に関しては、図５の光伝送ネットワークデバイスにより実行される複数の段階と、対応する実施形態を参照されたい。詳細の再度の説明は省略する。
【００７９】
本発明の実施形態の技術がソフトウェアおよび必要な一般のハードウェア基盤により実装されうることは当業者により明確に理解されうる。このような理解に基づいて、本発明の実施形態における技術的解決手段は基本的に、或いは従来技術に対する貢献を示す部分は、ソフトウェア製品の形態で実装されてよい。コンピュータソフトウェア製品は、ＲＯＭ／ＲＡＭ、ハードディスク、または光ディスクのような記憶媒体に記憶され、コンピュータデバイス（パーソナルコンピュータ、サーバ、ネットワークデバイスなどであってよい）に本発明の実施形態の実施形態またはいくつかの部分で説明された方法を実行するよう指示するいくつかの命令を含んでよい。
【００８０】
明細書の実施形態は全て進歩的な態様で説明されており、実施形態における同じまたは同様の部分に関してはそれらの実施形態を参照しており、各実施形態は他の実施形態との差分に着目している。特に、システムの実施形態は基本的に方法の実施形態と同様であり、ゆえに簡潔に説明されている。関連する部分に関しては、方法の実施形態における部分的な説明を参照されたい。
【００８１】
本発明の上述の実施例は本発明の保護範囲のいかなる制限も構成しない。本発明の趣旨及び原理から逸脱することなく行われる修正、同等の置換、改善等が本発明の保護範囲内に含まれる。
【図１】
2019519999.tif 000003
【図２】
2019519999.tif 000004
【図３】
2019519999.tif 000005
【図４】
2019519999.tif 000006
【図５】
2019519999.tif 000007
【図６】
2019519999.tif 000008
【図７】
2019519999.tif 000009
【図８】
2019519999.tif 000010
【図９】
2019519999.tif 000011
【図１０】
2019519999.tif 000012
【図１１】
2019519999.tif 000013
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
光伝送ネットワーク内でクライアント信号を送信する方法であって、
前記方法は、
光ペイロードユニット信号のペイロードをｍ個の第１粒度のトリビュタリスロットへと分割する段階と、
前記ｍ個の第１粒度のトリビュタリスロットのうちの１つをｎ個の第２粒度のトリビュタリスロットへと分割する段階であって、前記第１粒度のトリビュタリスロットのレートは前記第２粒度のトリビュタリスロットのレートのｎ倍であり、ｍは正の整数であり、ｎは１よりも大きな正の整数である、段階と、
前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成する段階と、
前記光データユニット信号を送信する段階と、
を備える、方法。
【請求項２】
ｎの値は前記第１のクライアント信号のレート、伝送距離、および、変調フォーマットの少なくとも１つに基づいて決定される、請求項１に記載の方法。
【請求項３】
ｍは１よりも大きい整数であり、
前記方法はさらに、
前記ｍ個の第１粒度のトリビュタリスロットのうちの他の第１粒度のトリビュタリスロットをｘ個の第３粒度のトリビュタリスロットへと分割する段階を備え、
前記第１粒度のトリビュタリスロットの前記レートは、前記第３粒度のトリビュタリスロットのレートのｘ倍であり、
ｘは１よりも大きな正の整数である、請求項１に記載の方法。
【請求項４】
前記光データユニット信号はさらに、前記第３粒度のトリビュタリスロットのオーバヘッドを有し、
前記ｍ個の第１粒度のトリビュタリスロットのうちの他の第１粒度のトリビュタリスロットをｘ個の第３粒度のトリビュタリスロットへと分割する前記段階は、前記ｍ個の第１粒度のトリビュタリスロットのうちの前記他の第１粒度のトリビュタリスロットを、受信された第２のクライアント信号のレート、伝送距離、および、変調フォーマットの少なくとも１つに基づいて前記ｘ個の第３粒度のトリビュタリスロットへと分割する段階を有し、
前記方法はさらに、
前記ｘ個の第３粒度のトリビュタリスロットのうちの１または複数が位置するペイロードに前記第２のクライアント信号をマッピングする段階を備える、請求項３に記載の方法。
【請求項５】
前記方法はさらに、
前記ｘ個の第３粒度のトリビュタリスロットのうちの１つを、第３のサービス信号のレート、伝送距離、および、変調フォーマットの少なくとも１つに基づいてｚ個の第４粒度のトリビュタリスロットへと分割する段階と、
前記ｚ個の第４粒度のトリビュタリスロットのうちの１または複数が位置するペイロードに前記第３のサービス信号をマッピングする段階と、
を備え、
ｚは１よりも大きな正の整数であり、
前記光ペイロードユニット信号はさらに、前記第４粒度のトリビュタリスロットのオーバヘッドを有する、請求項３に記載の方法。
【請求項６】
前記第１粒度のトリビュタリスロットの前記オーバヘッドは、前記光ペイロードユニット信号の光ペイロードユニット信号のオーバヘッドに位置し、
前記第２粒度のトリビュタリスロットの前記オーバヘッドは、前記光ペイロードユニット信号のペイロードに位置する、請求項１から５の何れか一項に記載の方法。
【請求項７】
前記第１粒度のトリビュタリスロットの前記オーバヘッドは、前記光ペイロードユニット信号のオーバヘッドのＭＳＩフィールドに位置し、
前記第１粒度のトリビュタリスロットの前記オーバヘッドは、各第１粒度のトリビュタリスロットを識別するのに使用される、請求項１に記載の方法。
【請求項８】
前記第１粒度のトリビュタリスロットの前記オーバヘッドはさらに、前記第１粒度のトリビュタリスロットが他の粒度のトリビュタリスロットへと分割されたか否かを示すのに使用される情報を有する、請求項７に記載の方法。
【請求項９】
前記第１粒度のトリビュタリスロットが前記他の粒度の前記トリビュタリスロットへと分割されたことを前記第１粒度のトリビュタリスロットの前記オーバヘッドが示す場合に、
前記第１粒度のトリビュタリスロットの前記オーバヘッドはさらに、前記第１粒度のトリビュタリスロットから分割された前記他の粒度の前記トリビュタリスロットの数を示す情報を有する、請求項８に記載の方法。
【請求項１０】
前記方法はさらに、
前記ｍ個の第１粒度のトリビュタリスロットにおける他の第１粒度のトリビュタリスロットであって、前記ｎ個の第２粒度のトリビュタリスロットへと分割される前記第１粒度のトリビュタリスロットとは異なる他の第１粒度のトリビュタリスロットのうちの１または複数に第５のクライアント信号をマッピングする段階を備える、請求項１に記載の方法。
【請求項１１】
光ペイロードユニット信号のペイロードエリアをｍ個の第１粒度のトリビュタリスロットへと分割する前記段階は、
前記光ペイロードユニット信号の前記ペイロードエリアにおける列１から列３８０８の全列に周期的な態様で順に１からｍまで付番する段階を有し、
同じ番号を有する列は同じ第１粒度のトリビュタリスロットに属する、請求項１から１０の何れか一項に記載の方法。
【請求項１２】
光ペイロードユニット信号のペイロードエリアをｍ個の第１粒度のトリビュタリスロットへと分割する前記段階は、
前記光ペイロードユニット信号の前記ペイロードエリアにおける列１から列３８０８内のＭバイト毎に周期的な態様で順に１からｍまで付番する段階を有し、
同じ番号を有するバイトは同じ第１粒度のトリビュタリスロットに属し、
Ｍは正の整数である、請求項１から１０の何れか一項に記載の方法。
【請求項１３】
光伝送ネットワークデバイスであって、
光ペイロードユニット信号のペイロードをｍ個の第１粒度のトリビュタリスロットへと分割し、前記ｍ個の第１粒度のトリビュタリスロットのうちの１つをｎ個の第２粒度のトリビュタリスロットへと分割するよう構成されたトリビュタリスロット分割部であって、前記第１粒度のトリビュタリスロットのレートは前記第２粒度のトリビュタリスロットのレートのｎ倍であり、ｍは正の整数であり、ｎは１よりも大きな正の整数である、トリビュタリスロット分割部と、
前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成するよう構成された信号マッピング部と、
前記光データユニット信号を送信するよう構成された送信部と、
を備える光伝送ネットワークデバイス。
【請求項１４】
前記トリビュタリスロット分割部はさらに、受信される第２のクライアント信号のレート、伝送距離、および、変調フォーマットの少なくとも１つに基づいて、前記ｍ個の第１粒度のトリビュタリスロットのうちの他の第１粒度のトリビュタリスロットをｘ個の第３粒度のトリビュタリスロットへと分割するよう構成され、
前記第１粒度のトリビュタリスロットのレートは前記第３粒度のトリビュタリスロットのレートのｘ倍であり、ｘは１よりも大きな正の整数である、請求項１３に記載の光伝送ネットワークデバイス。
【請求項１５】
前記信号マッピング部はさらに、前記第２のクライアント信号を、前記ｘ個の第３粒度のトリビュタリスロットのうちの１または複数が位置するペイロードにマッピングするよう構成される、請求項１４に記載の光伝送ネットワークデバイス。
【請求項１６】
前記トリビュタリスロット分割部はさらに、第３のサービス信号のレート、伝送距離、および、変調フォーマットの少なくとも１つに基づいて、前記ｘ個の第３粒度のトリビュタリスロットのうちの１つをｚ個の第４粒度のトリビュタリスロットへと分割するよう構成され、
前記信号マッピング部はさらに、前記ｚ個の第４粒度のトリビュタリスロットのうちの１または複数が位置するペイロードに前記第３のサービス信号をマッピングするよう構成され、
ｚは１よりも大きな正の整数であり、前記光ペイロードユニット信号はさらに、前記第４粒度のトリビュタリスロットのオーバヘッドを有する、請求項１４に記載の光伝送ネットワークデバイス。
【請求項１７】
光伝送ネットワークデバイスであって、
コンピュータ実行可能なプログラムコードを格納するよう構成されたメモリと、
前記メモリに結合されたプロセッサと、
を備え、
前記プログラムコードは命令を有し、前記プロセッサにより実行された場合に、前記命令は前記光伝送ネットワークデバイスが、
光ペイロードユニット信号のペイロードをｍ個の第１粒度のトリビュタリスロットへと分割することと、
前記ｍ個の第１粒度のトリビュタリスロットのうちの１つをｎ個の第２粒度のトリビュタリスロットへと分割することであって、前記第１粒度のトリビュタリスロットのレートは前記第２粒度のトリビュタリスロットのレートのｎ倍であり、ｍは正の整数であり、ｎは１よりも大きな正の整数である、分割することと、
第１のクライアント信号を、前記ｎ個の第２粒度のトリビュタリスロットのうちの１または複数が位置するペイロードにマッピングし、前記光ペイロードユニット信号のための前記第１粒度のトリビュタリスロットのオーバヘッドと前記第２粒度のトリビュタリスロットのオーバヘッドとを追加して、光データユニット信号を生成することと、
前記光データユニット信号を送信することと、
のオペレーションを行うことを可能とする、光伝送ネットワークデバイス。
【手続補正３】
【補正対象書類名】明細書
【補正対象項目名】０００１
【補正方法】変更
【補正の内容】
【０００１】
本発明は光通信技術の分野に関し、特には光伝送ネットワーク内でのクライアント信号の送信方法と、光伝送デバイスとに関する。
【手続補正４】
【補正対象書類名】明細書
【補正対象項目名】０００２
【補正方法】変更
【補正の内容】
【０００２】
光伝送ネットワーク（ＯＴＮ）は伝送ネットワークの中心となる技術である。ＯＴＮは高い運用、管理および保守（ＯＡＭ）の能力と、強力なタンデムコネクションモニタリング（ＴＣＭ）の能力と、帯域外の前方誤り訂正（ＦＥＣ）能力とを有し、柔軟なスケジューリングと、大容量のサービスの管理とを行うことができる。
【手続補正５】
【補正対象書類名】明細書
【補正対象項目名】０００３
【補正方法】変更
【補正の内容】
【０００３】
固定の回線レートを有する４つの光チャネル伝送ユニット（ＯＴＵ）：ＯＴＵ１，ＯＴＵ２、ＯＴＵ３およびＯＴＵ４がＯＴＮ標準システムで定義される。４つのＯＴＵの回線レートのレベルは、それぞれ２．５Ｇ、１０Ｇ、４０Ｇ、および１００Ｇである。単位はビット／秒、すなわち秒ごとのビットである。４つのＯＴＵはそれぞれ、ＯＴＵのレートレベルと同じレートレベルを有する４つの光チャネルデータユニット（ＯＤＵ）：ＯＤＵ１、ＯＤＵ２、ＯＤＵ３およびＯＤＵ４に対応する。信号の多重化送信の間、或るレートレベルのＯＤＵは、データ伝送レートを増加させるべく当該ＯＤＵより高い階数を有する任意のＯＤＵに多重化されてよい。ＯＤＵ１がＯＤＵ２に多重化されることが例として使用される。ＯＤＵ２のペイロードエリアは４つのトリビュタリスロット（ＴＳ）へと分割されてよく、各トリビュタリスロットはＯＤＵ１データの要素を伝達するのに使用される。
【手続補正６】
【補正対象書類名】明細書
【補正対象項目名】０００４
【補正方法】変更
【補正の内容】
【０００４】
５Ｇモバイルサービス（5th generation mobile networks）、４Ｋ（４０００ピクセル、４０００ピクセル）および８Ｋ（８０００ピクセル、８０００ピクセル）等のビデオサービス、仮想現実（ＶＲ）などの新たな多数のサービスの出現により、これらのサービスは帯域幅に関して様々なトラフィックの要望を有し、比較的高いリアルタイムの要件を有する。既存の固定のトリビュタリスロットはこの要件を効果的に満たすことができない。さらに、ソフトウェアデファインドネットワーク（ＳＤＮ）の幅広い浸透により顧客によるカスタマイズの要望と、伝送ネットワークの制御に対する直接的なインターベンションの要望は絶え間なく増加している。伝送ネットワークはよりインテリジェントに駆動される必要がある。これは単に制御プレーンのプログラマビリティに制限されない。データプレーンはまたプログラマビリティを付与される必要がある。既存の固定トリビュタリスロットは、この能力を限定し、クライアントサービスのカスタマイズされた伝送要件を満たすことができない。
【手続補正７】
【補正対象書類名】明細書
【補正対象項目名】０００６
【補正方法】変更
【補正の内容】
【０００６】
第１の態様によれば、光伝送ネットワーク内でクライアント信号を送信する方法であって、当該方法は、光ペイロードユニット信号のペイロードをｍ個の第１粒度のトリビュタリスロットへと分割する段階と、前記ｍ個の第１粒度のトリビュタリスロットのうちの１つをｎ個の第２粒度のトリビュタリスロットへと分割する段階であって、前記第１粒度のトリビュタリスロットのレートは前記第２粒度のトリビュタリスロットのレートのｎ倍であり、ｍは正の整数であり、ｎは１よりも大きな正の整数である、段階と、前記ｎ個の第２粒度のトリビュタリスロットのうちの１または複数が位置するペイロードに第１のクライアント信号をマッピングし、前記光ペイロードユニット信号のための前記第１粒度のトリビュタリスロットのオーバヘッドと前記第２粒度のトリビュタリスロットのオーバヘッドとを追加して、光データユニット信号を生成する段階と、前記光データユニット信号を送信する段階と、を備える、方法が提供される。
【手続補正８】
【補正対象書類名】明細書
【補正対象項目名】００２２
【補正方法】変更
【補正の内容】
【００２２】
本発明の実施形態によれば、光ペイロードユニット信号のペイロードがｍ個の第１粒度のトリビュタリスロットへと分割された後に、ｍ個の第１粒度のトリビュタリスロットのうちの１つがより小さい粒度のｎ個の第２粒度のトリビュタリスロットへとさらに分割され、第１のクライアント信号は第２粒度のトリビュタリスロットのうちの１または複数にマッピングされる。ゆえに、トリビュタリスロットは、カスタマイズされたクライアントサービスの伝送要件を満たすための要件に基づいて、ＯＴＮデータプレーン上で柔軟に分割され得る。同じベアラのコンテナが混合方式で異なる複数のレートのサービスを伝達し、帯域幅伝送効率を向上させる。
【手続補正９】
【補正対象書類名】明細書
【補正対象項目名】００３６
【補正方法】変更
【補正の内容】
【００３６】
図１は、本発明の一実施形態によるＯＴＮフレームフォーマットの図である。図１に示されるように、ＯＴＮフレームは４０８０列４行を有する標準モジュール構造である。ＯＴＮフレームのヘッダにおける１６列はオーバヘッドバイトであり、ＯＴＮフレームの中途部の３８０８列はペイロードであり、ＯＴＮフレームの末尾の２５６列はＦＥＣチェックバイトである。ＯＴＮフレームは、フレーム同期およびポジショニング機能を提供するのに使用されるフレームアライメント信号（ＦＡＳ）バイトを行１かつ列１から７に有する。ここで、ＦＡＳの第７バイトは、クライアントサービスデータの複数の要素が時分割多重方式で伝達される場合にオーバヘッド割当てを示すのに使用されるマルチフレームアライメント信号（ＭＦＡＳ）である。ＯＴＮフレームは、光チャネル伝送ユニットレベルのネットワーク管理機能を提供するのに使用される光チャネル伝送ユニット−ｋオーバヘッド（ＯＴＵｋ  ＯＨ）バイトを行１かつ列８から１４に、保守および運用機能を提供するのに使用される光チャネルデータユニット−ｋオーバヘッド（ＯＤＵｋ  ＯＨ）バイトを行２から４かつ列１から１４に、クライアントサービスデータ適応機能を提供するのに使用されるＯＰＵｋ  ＯＨ（Ｏｐｔｉｃａｌ  Ｃｈａｎｎｅｌ  Ｐａｙｌｏａｄ  Ｕｎｉｔ−ｋ  Ｏｖｅｒｈｅａｄ、光チャネルペイロードユニット−ｋオーバヘッド）バイトを列１５および１６に、有する。ここで、ＯＰＵｋ  ＯＨバイトはペイロード構造識別子（ＰＳＩ）を有し、ＰＳＩはＭＦＡＳにより命令された場合に０から２５５の可能な値に対応する。第０バイトはペイロードタイプ（ＰＴ）であり、他のバイトは将来の拡張時の使用のために確保された予備のバイト（ＲＥＳ）である。ＯＴＮフレームは、クライアントサービスデータを伝達する機能を提供するのに使用されるＯＰＵｋバイトを列１７から３８２４に有する。ここで、伝送されるクライアントサービスデータはＯＰＵｋへと組み込まれる。ＯＴＮフレームは、誤り検出および誤り訂正機能を提供するのに使用されるＦＥＣバイトを列３８２５から４０８０に有する。係数ｋは、サポートされたビットレートを表す。異なるビットレートは異なるタイプのＯＰＵｋ、ＯＤＵｋおよびＯＴＵｋに対応する。本明細書においてｋ＝０はビットレートが１．２５ギガビット／秒であることを示し、Ｋ＝１はビットレートが２．５ギガビット／秒であることを示し、ｋ＝２はビットレートが１０ギガビット／秒であることを示し、ｋ＝３はビットレートが４０ギガビット／秒であることを示し、Ｋ＝４はビットレートが１００ギガビット／秒であることを示す。ＯＰＵｋおよびＯＰＵｋ  ＯＨはＯＰＵｋフレームを形成し、ＯＰＵｋフレーム、ＯＤＵｋ  ＯＨおよびＦＡＳはＯＤＵｋフレームを形成し、ＯＤＵｋフレーム、ＯＴＵｋ  ＯＨおよびＦＥＣバイトはＯＴＵｋフレームを形成する。
【手続補正１０】
【補正対象書類名】明細書
【補正対象項目名】００３７
【補正方法】変更
【補正の内容】
【００３７】
近年、１００ギガビット／秒より速いＯＴＮのアプリケーションのために、国際電気通信連合−電気通信標準化区画（ＩＴＵ−Ｔ）は、光チャネル伝送ユニット−Ｃｎ（ＯＴＵＣｎ）インタフェース（Ｃはローマ数字１００、ｎは正の整数）を策定している。ＯＴＵＣｎインタフェースは、処理能力がｎ×１００ギガビット／秒のレートを持つ電気的インタフェースを提供し、ＯＴＵＣｎ信号は２０×ｎ５ギガビット／秒のトリビュタリスロットを有する。
【手続補正１１】
【補正対象書類名】明細書
【補正対象項目名】００３８
【補正方法】変更
【補正の内容】
【００３８】
図２はＯＴＵＣｎ信号に定義されたＯＴＵＣｎフレームのフレーム構造を示す。ＯＴＵＣｎフレームはｎ個のＯＴＵサブフレームを有し、各ＯＴＵサブフレームは４行３８２４列を有する。フレームアライメントオーバヘッド（ＦＡ  ＯＨ）はフレームポジショニングニングオーバヘッドバイトであり、フレームの同期およびポジショニング機能を提供する。ＯＴＵ  ＯＨはＯＴＵＣｎオーバヘッドバイトである。ＯＴＵＣｎは１つの信号として管理および監視され、光チャネル伝送ユニットレベルのネットワーク管理機能が提供される。ＯＴＵＣｎオーバヘッドの大半のオーバヘッド情報はＯＴＵサブフレーム１（ＯＴＵ  ｓｕｂｆｒａｍｅ＃１）のＯＴＵ  ＯＨを使用することで伝達され、残りのオーバヘッド情報は複数の他のＯＴＵサブフレームを使用して伝達される。ＯＴＵＣｎフレームはＦＡ  ＯＨおよびＯＴＵＣｎオーバヘッドを光チャネルデータユニット−Ｃｎ（ＯＤＵＣｎ）フレームに追加することで形成される。ＯＤＵＣｎフレームはｎ個のＯＤＵサブフレームを有し、各ＯＤＵサブフレームは４行３８２４列を有する。ＯＤＵＣｎフレームはＯＤＵＣｎオーバヘッドを光チャネルペイロードユニット−Ｃｎ（ＯＰＵＣｎ）フレームに追加することで形成される。ＯＰＵＣｎフレームはｎ個のＯＰＵサブフレームを有し、各ＯＰＵサブフレームは４行３８１０列を有する。各ＯＰＵサブフレームは２列のオーバヘッドエリアと３８０８列のペイロードエリアとを有する。各ＯＰＵサブフレームは、低次のサービスを伝達するのに使用される２０個の５ギガビット／秒のトリビュタリスロットを有する。ＯＴＵＣｎフレームが送信される前に、ＯＴＵＣｎフレームを伝送する物理インタフェースのタイプに基づいて、ＯＴＵＣｎフレームのｎ個のＯＴＵサブフレームに単一バイトまたはマルチバイトのインターリーブ処理、例えば単一バイトまたは１６バイトのインターリーブ処理が行われて、シリアルなＯＴＵＣｎビットデータストリームが形成される。シリアルなＯＴＵＣｎビットデータストリームは対応するレートを持つ光モジュールを使用して送信される。
【手続補正１２】
【補正対象書類名】明細書
【補正対象項目名】００４１
【補正方法】変更
【補正の内容】
【００４１】
クライアントサービスデータは行単位のＧＭＰブロックコンテナへと入れられる。行内の対応するトリビュタリスロットが満たされた後に、次の行内の対応するトリビュタリスロットに対し、同様のデータを入れるオペレーションが実行される。図３に示されるように、このケースではＧＭＰブロックコンテナによって占有されるＴＳの数は３であり、マッピング粒度は３バイト（ｂｙｔｅ）である。クライアントサービスデータがＧＭＰブロックコンテナへと入れられる場合に、（マッピング中のクロック情報により決定される）１クロック周期内に、クライアントサービスデータのうち３バイトがそれぞれ列１７、１９および２０の行１に足され、次に、第２のクロック周期内に、クライアントサービスデータのうち他の３バイトがそれぞれ列２５、２７および２８の行１に足される。以下同様に、行が満たされた後に、同様の入れるオペレーションが次の行に実行される。
【手続補正１３】
【補正対象書類名】明細書
【補正対象項目名】００４２
【補正方法】変更
【補正の内容】
【００４２】
ＯＴＮ内でクライアント信号を送信するプロセスは、次の通りである。ＧＭＰプロトコルを使用してクライアント信号がＯＤＵｋに多重化される。前方誤り訂正（ＦＥＣ）データがＯＤＵｋに足されてＯＴＵｋを形成する。次に、ＯＴＵｋが伝送される。
【手続補正１４】
【補正対象書類名】明細書
【補正対象項目名】００４３
【補正方法】変更
【補正の内容】
【００４３】
具体的には、クライアント信号がＯＤＵｋに多重化される前に、ＯＤＵｋのペイロードエリアがｎ個のＴＳへと分割される。
【手続補正１５】
【補正対象書類名】明細書
【補正対象項目名】００４５
【補正方法】変更
【補正の内容】
【００４５】
図４に示されるように、トリビュタリスロットの分割は、各ＯＤＵｋフレームにおけるＯＰＵｋペイロードに実行される。ＯＤＵｋの列１７から３８２４、すなわちＯＤＵｋのペイロードエリアにおける列１から列３８０８は、周期的な態様で順に１からｎまで付番される。ＯＤＵｋのペイロードエリアにおける列３８０８の数はＭｏｄ（３８０８／ｎ）であり、Ｍｏｄ（３８０８／ｎ）は３８０８をｎで割って取得される剰余を表す。同じ番号を有する列は同じトリビュタリスロットに属する。各トリビュタリスロットはｉｎｔ（３８０８／ｎ）個の列を占有し、ｉｎｔ（３８０８／ｎ）は３８０８をｎで割って切り捨てた結果を表す。例えば、ｎが５に等しい場合には、３８０８／５は７６１．６に等しく、ｍｏｄ（３８０８／５）は３に等しく、ｉｎｔ（３８０８／５）は７６１に等しい。３８０８がｎで割り切れない場合には、剰余に対応する複数の列のバイトが充填される。例えば、ｎが５に等しい場合には、３８０８は５で割り切れないので、３つの残りの列が充填される。各トリビュタリスロットがｉｎｔ（３８０８／ｎ）列を占有し、各列は４バイトを有するので、各トリビュタリスロットは４×ｉｎｔ（３８０８／ｎ）バイトを占有する。
【手続補正１６】
【補正対象書類名】明細書
【補正対象項目名】００４７
【補正方法】変更
【補正の内容】
【００４７】
段階Ｓ５０１：光ペイロードユニット（ＯＰＵ）信号のペイロードをｍ個の第１粒度のトリビュタリスロットへと分割する。
【手続補正１７】
【補正対象書類名】明細書
【補正対象項目名】００５２
【補正方法】変更
【補正の内容】
【００５２】
既存のＯＤＵｋ、例えばＯＤＵ２は、１．２５Ｇおよび２．５Ｇという２つの固定トリビュタリスロット粒度を有する。これらのトリビュタリスロット粒度は、効率的なサービス伝達をある程度限定し、最適な帯域幅伝送効率を提供することができない。本発明のこの実施形態においては、図６に示されるように、光伝送ネットワークデバイスはさらに、第１粒度のトリビュタリスロットのレート２．５Ｇを、第２粒度のトリビュタリスロットのレートへと分割してよい。第１粒度のトリビュタリスロットのレートは第２粒度のトリビュタリスロットのレートのｎ倍であり、ｎは１よりも大きい整数である。例えば、分割後に取得される第２粒度のトリビュタリスロットのレートはレート２．５Ｇの１／２，１／３または１／４であってよい。本明細書において、第２粒度のトリビュタリスロットのレートに対する第１粒度のトリビュタリスロットのレートの割合、すなわちｎの値は、伝達される必要のある第１のクライアント信号のレートに基づいて決定されてよい。例えば、第１のクライアント信号のレートが０．８Ｇである場合であって、レート２．５Ｇが３つの第２粒度のトリビュタリスロットのレートへと分割される場合に、第２粒度のトリビュタリスロットのレートは０．８３３Ｇである。ゆえに、１つの第１粒度のトリビュタリスロットのレートは、３つの第２粒度のトリビュタリスロットのレート０．８３３Ｇへと分割されてよい。
【手続補正１８】
【補正対象書類名】明細書
【補正対象項目名】００６０
【補正方法】変更
【補正の内容】
【００６０】
第１粒度のトリビュタリスロットが第２粒度のトリビュタリスロットへと分割された後に、第２粒度のトリビュタリスロットはさらに、サービスレート、伝送距離および変調フォーマットのうちの少なくとも１つ、例えばより小さなサービスレートの伝達要求に基づいて分割されてよい。便宜的に、本明細書では第１粒度のトリビュタリスロットはレベル１の粒度のトリビュタリスロットと称され、第２粒度のトリビュタリスロットはレベル２の粒度のトリビュタリスロットと称され、第２粒度のトリビュタリスロットがさらに分割された後に取得されるトリビュタリスロットはレベル３の粒度のトリビュタリスロットと称される。図７に示されるように、レベル１のトリビュタリスロットのうちの１つはレベル２のトリビュタリスロットへと分割され、レベル２のトリビュタリスロットはレベル３のトリビュタリスロットへとさらに分割されてよい。レベル１のトリビュタリスロットが２．５Ｇであると仮定すると、レベル２のトリビュタリスロットは０．５Ｇであってよく、レベル３のトリビュタリスロットは０．０５Ｇであってよい。レベル３のトリビュタリスロットがサービス伝送に使用される場合、０．１Ｇ程度に小さいサービスが伝送されてよい。明らかに、レベル３のトリビュタリスロットを使用する伝送は、レベル１のトリビュタリスロットを使用する伝送に対し、いっそうフレキシブルかつ省資源である。レベル１のトリビュタリスロットのオーバヘッドがＯＰＵのオーバヘッドに位置し得、レベル２のトリビュタリスロットのオーバヘッドがレベル２のトリビュタリスロットの第１バイトに位置し得、レベル３のトリビュタリスロットのオーバヘッドがレベル３のトリビュタリスロットの第１バイトに位置し得ることが図８から理解され得る。レベル１のトリビュタリスロットのオーバヘッドは、レベル１のトリビュタリスロットのトリビュタリスロットポインタ（ＴＳＰ）を有してよい。レベル１のトリビュタリスロットのＴＳＰはＯＰＵオーバヘッドの多重化構造識別子（ＭＳＩ）フィールドを使用して伝達されてよい。ＯＰＵ信号のペイロードがレベル１のトリビュタリスロットへと分割されることが想定されている。ＭＦＡＳ値はＭＳＩフィールド内の第２ＭＳＩ、すなわちＭＳＩ［２］に記憶される。本明細書においてＭＦＡＳ値は２であり、このことはレベル１のトリビュタリスロットにおける第１トリビュタリスロットのトリビュタリスロットポインタがＭＳＩ［２］内に記憶されることを示す。ＭＳＩフィールド内の第３ＭＳＩに記憶されるＭＦＡＳ値、すなわちＭＳＩ［３］は３であり、このことはレベル１のトリビュタリスロット内の第２トリビュタリスロットのトリビュタリスロットポインタがＭＳＩ［３］内に記憶されることを示す。以下同様に、具体的には図８に示されるように、レベル１のトリビュタリスロットにおける（ａ）番目のトリビュタリスロットのトリビュタリスロットポインタはＭＳＩフィールドにおける（ａ＋１）番目のＭＳＩ、すなわちＭＳＩ［ａ＋１］内に記憶される。
【手続補正１９】
【補正対象書類名】明細書
【補正対象項目名】００６１
【補正方法】変更
【補正の内容】
【００６１】
図８に示されるように、レベル２のトリビュタリスロットのトリビュタリスロットポインタに対し、レベル２のトリビュタリスロットｉのＭＦＡＳ値は０に設定されてよく、これによりレベル２のトリビュタリスロットのトリビュタリスロットポインタがレベル２のトリビュタリスロットｉの第１バイトに記憶されることを示してよい。同様に、レベル３のトリビュタリスロットのトリビュタリスロットポインタに対し、レベル３のトリビュタリスロットｉのＭＦＡＳ値は１に設定されてよく、これによりレベル３のトリビュタリスロットのトリビュタリスロットポインタがレベル３のトリビュタリスロットｉの第１バイトに記憶されることを示してよい。以下同様に、レベルＮのトリビュタリスロットのトリビュタリスロットポインタに対し、レベルＮのトリビュタリスロットｉのＭＦＡＳ値はＮ−２に設定されてよく、これによりレベルＮのトリビュタリスロットのトリビュタリスロットポインタがレベルＮのトリビュタリスロットｉの第１バイトに記憶されることを示してよい。
【手続補正２０】
【補正対象書類名】明細書
【補正対象項目名】００６４
【補正方法】変更
【補正の内容】
【００６４】
（２）ＴＳ＿ＮＵＭ／ＣＩＤ：７ビットである。このフィールドは２つの意味を持ち：ＴＳ＿Ｃｈｉｌｄ＝０の場合には、このフィールドは現在のトリビュタリスロット内で伝達されるクライアントサービス情報、例えばクライアントサービスの識別子（ＩＤ）値、すなわちクライアントサービスの識別子（ＣＩＤ）等、を格納するのに使用される。ＴＳ＿Ｃｈｉｌｄ＝１の場合には、このフィールドは、現在のトリビュタリスロットにネストされる他の粒度のトリビュタリスロットの数、すなわちトリビュタリスロット数（ＴＳ＿ＮＵＭ）を格納するのに使用される。
【手続補正２１】
【補正対象書類名】明細書
【補正対象項目名】００６６
【補正方法】変更
【補正の内容】
【００６６】
図５のクライアント信号の伝送方法は、ｍ個の第１粒度のトリビュタリスロットのうちの１つをｎ個の第２粒度のトリビュタリスロットへと分割する解決法を説明するに過ぎない。ｍ個の第１粒度のトリビュタリスロットのうちの他の第１粒度のトリビュタリスロットは、第２のクライアント信号のレート、伝送距離および変調フォーマットのうちの少なくとも１つに基づいてｘ個の第３粒度のトリビュタリスロットへとさらに分割され得ることに留意するべきである。ここで、第１粒度のトリビュタリスロットのレートは第３粒度のトリビュタリスロットのレートのｘ倍であり、ｘは１よりも大きな正の整数である。例えば、図６においてＯＰＵ２信号のペイロード部分は第１粒度のトリビュタリスロットＴＳａ１、ＴＳａ２、ＴＳａ３およびＴＳａ４へと分割される。各第１粒度のトリビュタリスロットのレートは２．５Ｇである。１つの第１粒度のトリビュタリスロットＴＳａ１は、第１のクライアントサービス信号のレート０．８Ｇに基づいて第２粒度のトリビュタリスロットＴＳｂ１、ＴＳｂ２およびＴＳｂ３へと分割される。各第２粒度のトリビュタリスロットのレートは０．８３３Ｇである。１つの第２粒度のトリビュタリスロットＴＳｂ１は第１のクライアントサービス信号を伝達するのに使用されてよい。本明細書において他の第１粒度のトリビュタリスロットＴＳａ２はまた、第２のクライアントサービス信号のレートに基づいて、例えば第２のクライアントサービス信号のレートが１．２５Ｇである場合に、第３粒度のトリビュタリスロットＴＳｃ１およびＴＳｃ２へと分割されてよい。
各第３粒度のトリビュタリスロットのレートは１．２５Ｇであり、１つの第３粒度のトリビュタリスロットＴＳｃ１は第２のクライアントサービス信号を伝達するのに使用されてよい。
【手続補正２２】
【補正対象書類名】明細書
【補正対象項目名】００６９
【補正方法】変更
【補正の内容】
【００６９】
ＯＴＮトリビュタリボード１００５はクライアント信号（サービス信号）の組み込みおよびマッピングを完了するよう構成される。クライアント信号は、非同期伝達モード（ＡＴＭ）サービス、同期デジタル階層（ＳＤＨ）サービス、イーサネットサービス、一般的な公開無線インタフェース（ＣＰＲＩ）サービス、および、ストレージサービスなどの複数のサービスタイプを含む。具体的に、トリビュタリボード１００５はクライアント側から信号を受信し、受信したクライアント信号を光チャネルデータユニット（ＯＤＵ）信号に組み込みおよびマッピングし、かつ、対応するＯＴＮの管理・監視オーバヘッドを追加するよう構成される。ＯＴＮトリビュタリボード１００５上で、ＯＤＵ信号は低次のＯＤＵ信号、例えばＯＤＵ０、ＯＤＵ１、ＯＤＵ２、ＯＤＵ３またはＯＤＵｆｌｅｘであってよい。ＯＴＮの管理・監視オーバヘッドはＯＤＵオーバヘッドであってよい。異なるタイプのクライアント信号が、異なる方式により異なるＯＤＵ信号に組み込みおよびマッピングされる。
【手続補正２３】
【補正対象書類名】明細書
【補正対象項目名】００７９
【補正方法】変更
【補正の内容】
【００７９】
本発明の実施形態の技術がソフトウェアおよび必要な一般のハードウェア基盤により実装されうることは当業者により明確に理解されうる。このような理解に基づいて、本発明の実施形態における技術的解決手段は基本的に、或いは従来技術に対する貢献を示す部分は、ソフトウェア製品の形態で実装されてよい。ソフトウェア製品は、ＲＯＭ／ＲＡＭ、ハードディスク、または光ディスクのような記憶媒体に記憶され、コンピュータデバイス（パーソナルコンピュータ、サーバ、ネットワークデバイスなどであってよい）に本発明の実施形態の実施形態またはいくつかの部分で説明された方法を実行するよう指示するいくつかの命令を含んでよい。
【国際調査報告】
2019519999.tif 000014
2019519999.tif 000015
2019519999.tif 000016
2019519999.tif 000017